(57)【要約】【課題】緯糸及びその搬送空気を案内する案内溝（トンネル）を設けた空気噴射織機用筬（トンネル筬）に関し、筬のコストを上昇させることなく、かつ緯入れ不良による停台回数を増加させることなく、緯糸搬送空気の消費量を可及的に減少させる。【解決手段】案内溝の溝底幅を４．６〜４．９ｍｍ、好ましくは４．７〜４．９ｍｍとする。案内溝の入口部における主ノズルの噴流面積Ｍ0に対して６５〜７５％の空気導入面積Ｍを有している。案内溝の主ノズル側端部に溝幅が徐々に広がる導入部を設けることなく、かつ織物欠点や停台回数を殆ど増加させることなく、織機の空気消費量を低減することが可能である。【選択図】      図１
2006089888.tif 000002
【特許請求の範囲】
【請求項１】
織前側が開放された横コ字形ないしＵ字形断面の緯糸及びその搬送空気の案内溝を備えた空気噴射式織機用筬において、溝底幅が４．６〜４．９ｍｍの前記案内溝を備えている、空気噴射式織機用筬。
【請求項２】
織前側が開放された横コ字形ないしＵ字形断面の緯糸及びその搬送空気の案内溝を備えた空気噴射式織機用筬において、前記案内溝の入口部における主ノズルの噴流面積(M0)に対して６５〜７５％の空気導入面積(M)を有する前記案内溝を備えている、空気噴射式織機用筬。
【発明の詳細な説明】
【技術分野】
【０００１】
この発明は、前面に緯糸及びその搬送空気を案内する横コ字形ないしＵ字形の案内溝（トンネル）を設けた空気噴射織機用筬（トンネル筬）に関するもので、前記案内溝の断面寸法に特徴がある筬に関するものである。
【背景技術】
【０００２】
周知のように空気噴射織機は、緯入れノズル（主ノズル）から噴出される空気流によって緯入れを行うものであるが、空気流は拡散及び減衰が大きいため、筬の前面に空気流を導く案内溝を設け、更に筬の前下方からこの案内溝に向けて緯糸飛走方向の空気を噴射する複数本の補助ノズルを設けて、緯糸搬送力を維持するようにしている。
【０００３】
案内溝１は、図に示すように、その上下に上顎２と下顎３とを筬の前方に向けて突出させることによって形成されており、従来の筬における案内溝１の断面寸法は、上顎側の溝深さａ＝９ｍｍ、溝底部における溝底幅ｂ＝５．５ｍｍ、下顎側の溝深さｃ＝７ｍｍであり、溝底と上下の溝壁との角部は、円弧で連接され、下壁４は、開放側（織前側）が広がる方向に約１２度の角度で傾斜しており、上下の壁の開放端部にも円弧が設けられている。
【０００４】
緯糸搬送空気の主ノズルは、図２に模式的に示すように、上記寸法で設けた案内溝の左端から標準的にはＳ＝２０ｍｍ離して設けられており、ノズル内径は４ｍｍ、噴流の拡散角は１１度である。この標準的な仕様においては、案内溝１の入口（主ノズル側端部）における主ノズルからの噴流は、直径７．８５ｍｍの円となっており、噴流面積Ｍ0は４８．４平方ｍｍである。
【０００５】
図３は、案内溝の入口部における主ノズルからの噴流面積Ｍ0を従来寸法の案内溝１に重ねて表示したもので、同図に斜線で示す領域Ｍは、案内溝１に導入される噴流の面積を示し、その面積は３８．１４平方ｍｍであり、前記噴流面積Ｍ0の７８．８％である。前述した筬と主ノズルとの距離Ｓ＝２０ｍｍは、織前の主ノズル側端部に緯糸カッタ装置やタックイン装置が設けられる関係で、これ以上近付けることは困難である。従って、主ノズルの噴流６をより多く案内溝１内に導くためには、案内溝１の断面寸法を大きくするのが望ましい。
【０００６】
しかし、緯糸の搬送力は、空気噴流の速度に依存するから、案内溝１の面積を大きくすると、ここを通る空気の流量が増大し、空気消費量が大きくなる。緯入れ空気の消費量が空気噴射織機のランニングコストに及ぼす影響は、非常に大きい。そこで案内溝の溝幅を狭くして、案内溝内の緯糸搬送空気の流速を増大させようとする提案がなされている。上顎部における溝深さａを標準の９ｍｍとした場合における提案されている案内溝の溝底幅ｂは、３．６〜４．５ｍｍである。
【特許文献１】特開平２−１５４０３３号公報
【特許文献２】特開２００３−２７３５３号公報
【発明の開示】
【発明が解決しようとする課題】
【０００７】
案内溝１の面積を小さくすることによって、緯入れ空気の消費量を低減できること、あるいは等しい空気量で空気流速を高速化できることは、当然考えられることである。しかし、案内溝の断面積、特に溝幅を狭くすると、案内溝１内に導かれる主ノズルの噴流の割合が減少する。例えば、案内溝１の溝底幅を４ｍｍにすると、図４の斜線部分の面積、すなわち案内溝１に導かれる噴流面積Ｍは、２９．６平方ｍｍとなり、噴流の全面積Ｍ0に対する割合が６１．１％に低下してしまう。この問題を避けるためには、図５に示すように、案内溝１の左端部に溝幅がラッパ状に広がる導入部５を形成する必要がある。
【０００８】
このような導入部５は、通常幅の筬では設ける必要がない。そして、この導入部５を形成するには、溝幅が少しずつ広くなった筬羽を製作しなければならない。そのため、従来筬に比べて筬が高価になるという問題を生ずる。
【０００９】
この発明は、筬のコストを上昇させることなく、かつ緯入れ不良による停台回数を増加させることなく、緯糸搬送空気の消費量を可及的に減少させることを課題としてなされたものである。
【課題を解決するための手段】
【００１０】
本願の請求項１の発明に係る空気噴射式織機用筬は、織前側が開放された横コ字形ないしＵ字形断面の緯糸及びその搬送空気をの案内溝を備えた空気噴射式織機用筬において、前記案内溝の溝底幅が４．６〜４．９ｍｍであることを特徴とするものである。溝底からの上顎高さは、８．５〜１０ｍｍである。
【００１１】
また、本願の請求項２の発明に係る空気噴射式織機用筬は、織前側が開放された横コ字形ないしＵ字形断面の緯糸及びその搬送空気の案内溝を備えた空気噴射式織機用筬において、前記案内溝が、当該案内溝の入口部における主ノズルの噴流面積Ｍ0に対して６５〜７５％の空気導入面積Ｍを有していることを特徴とするものである。
【発明の効果】
【００１２】
案内溝１の溝底幅ｂを４．７５ｍｍとしたときの当該案内溝に導かれる空気噴流の面積Ｍは、３３．９平方ｍｍであり、噴射流の全面積Ｍ0の７０．０％が案内溝１に導かれる。これは従来一般的な溝底幅５．５ｍｍの案内溝に導かれる空気量を１００％としたときの８８．９％に相当する。そして、後述する試験結果から分かるように、上顎部における溝深さａを９ｍｍとし、溝底幅ｂを４．７５ｍｍとしたこの発明の筬では、案内溝の主ノズル側端部に溝幅が徐々に広がる導入部を設けることなく、かつ織物欠点や停台回数を殆ど増加させることなく、織機の空気消費量を低減することが可能である。この実験結果から、案内溝の溝底幅が４．６〜４．９ｍｍの範囲、特に４．７〜４．８ｍｍの範囲が有効であると考えられる。また、空気導入面積Ｍに着目したときは、１００×Ｍ／Ｍ0＝６５〜７５％、特に６７〜７３％の範囲が有効であると考えられる。
【発明を実施するための最良の形態】
【００１３】
この発明の筬は、図１に示すように、その前面に形成された緯糸とその搬送用空気の案内溝１の断面が上顎２側の溝深さａ＝９ｍｍに対して、溝底幅ｂが４．５〜５ｍｍ、好ましくは４．７〜４．８ｍｍの筬である。
【００１４】
実施例として案内溝の溝底幅５．５ｍｍの従来寸法の筬と、４．７５ｍｍのこの発明の筬と、４．０ｍｍの溝幅を狭くした筬との３種類の筬を作り、製織試験を行った結果を表１に示す。いずれの筬も案内溝の主ノズル側端部に導入部を設けていない。従って、主ノズルからの噴流が案内溝に導入される面積Ｍは、Ｍ0の７８．８％、７０．０％及び６１．１％である。Ｍ0は案内溝１の入口における主ノズルからの噴流の全面積である。
【００１５】
【表１】
2006089888.tif 000003
【００１６】
表１に示すように、本願発明の筬では、従来の溝底幅５．５ｍｍの案内溝を備えた筬に比べて停台回数が僅かに増加しているが、空気消費量が１割強減少している。一方、溝底幅を４．０ｍｍとした筬は、空気消費量が１５％減少するが、停台回数が非常に増加する。
【００１７】
表２は、溝底幅５．５ｍｍ、４．７５ｍｍ及び４．０ｍｍの表１で示したと同じ溝断面を有する案内溝の主ノズル側端部に、溝底幅４．７５ｍｍ及び４．０ｍｍのものについて、入口端における溝底幅がいずれも５．５ｍｍとなるような導入部５を設けた筬について表１と同様な製織試験を行った結果である。
【００１８】
【表２】
2006089888.tif 000004
【００１９】
前述したように、導入部５を設けることによって筬コストは上昇するが、この導入部を設けることにより、溝底幅４．７５ｍｍのこの発明の筬では、停台回数が僅かに改良されており、また溝底幅４．０ｍｍの筬では、停台回数が大幅に改善されている。一方空気消費量については、溝底幅４．７５ｍｍの筬が僅かに改善され、溝底幅４．０ｍｍの筬では、変化していない。
【００２０】
以上の試験結果から明らかなように、案内溝の溝底幅を４．０ｍｍ程度まで減少させたときは、案内溝の主ノズル側端部に主ノズルの空気噴流を案内溝内へと導くための導入部を形成することが不可欠であり、筬コストの上昇は避けられない。これに対して溝底幅を４．７５ｍｍ前後にしたこの発明の筬では、導入部を設けないでも停台回数が増加することがなく、かつ空気消費量の低減が可能で、空気噴射織機の筬に設ける案内溝として最も好ましい形状であることが分かる。
【図面の簡単な説明】
【００２１】
【図１】この出願の筬に設けられる案内溝とその主ノズル側端部における空気噴流との関係を示す側面図
【図２】主ノズルの空気噴流の拡散状態を示す説明図
【図３】溝底幅５．５ｍｍの従来構造の筬における図１と同様な図
【図４】溝底幅を４ｍｍとした筬における図１と同様な図
【図５】案内溝の主ノズル側端部に導入部を設けた筬の模式的な正面図
【符号の説明】
【００２２】
１  案内溝
２  上顎
Ｍ  空気導入面積
Ｍ0  噴流面積
【図１】
2006089888.tif 000005
【図２】
2006089888.tif 000006
【図３】
2006089888.tif 000007
【図４】
2006089888.tif 000008
【図５】
2006089888.tif 000009